(57)【要約】【課題】蛍光ホイール用に設計された反射層は、すべての可視光スペクトラム（４００ｎｍ〜７００ｎｍ）と全ての入射角（ＡＯＩ）の状態（±０度〜９０度）をカバーする高い反射率要件を満たすことができない。【解決手段】第１波長帯の光を変換するために用いられる光波長変換デバイスは、基板と蛍光体層と複合反射層とを有する。蛍光体層は、基板上にあり、第１波長帯の光を第２波長帯の光に変換する。結果として、広角且つ広いスペクトラムの光の出力効率が増加する。複合反射層は、第１反射層と第２反射層とを有する。第２波長帯の光が蛍光体層を介して出力されるように第１反射層は、基板と蛍光体層との間に配置され且つ基板に隣接し、第２波長帯の光を反射する。第２反射層は、第１反射層と蛍光体層との間に配置され、第１反射層の反射スペクトルを調節し、これによって複合反射層の反射率が上昇する。【選択図】図５
2016081054.tif 000002
【特許請求の範囲】
【請求項１】
第１波長帯の光を変換するために用いられる光波長変換デバイスであって、
基板と、前記基板上にあり且つ第１波長帯の光を第２波長帯の光に変換する蛍光体層と、複合反射層とを具備し、
前記複合反射層は、第１反射層と第２反射層とを備え、
第１反射層は、前記基板と前記蛍光体層との間において前記基板に隣接して配置されて第２波長帯の光を反射し、これによって第２波長帯の光が前記蛍光体層を介して出力され、
第２反射層は、第１反射層と前記蛍光体層との間に配置されて第１反射層の反射スペクトルを調節し、これによって当該複合反射層の反射率を上昇させる、
光波長変換デバイス。
【請求項２】
前記複合反射層は、第１反射層と前記基板との間に配置される接着層を更に有し、前記接着層は、チタン接着層又はクロム接着層である、請求項１に記載の光波長変換デバイス。
【請求項３】
第１波長帯の光は、青色光又は紫外光であり、且つ第２波長帯の光は、４６０ｎｍより大きい波長の光である、請求項１に記載の光波長変換デバイス。
【請求項４】
第２反射層は、５００ｎｍより大きい波長の光に関して第１反射層の反射スペクトルを調整するように構成され、且つ前記複合反射層における緑色光の反射率は、第２反射層によって少なくとも１．７％増加する、請求項１に記載の光波長変換デバイス。
【請求項５】
第２反射層は、６００ｎｍより大きい波長の光に関して第１反射層の反射スペクトルを調整するように構成され、且つ前記複合反射層における赤色光の反射率は、第２反射層によって少なくとも３．５％増加する、請求項１に記載の光波長変換デバイス。
【請求項６】
第１反射層は金属製の反射層であり、且つ第２反射層は誘電体反射多層である、請求項１に記載の光波長変換デバイス。
【請求項７】
第１反射層は、アルミニウム、銀、又はアルミニウム若しくは銀の合金のめっきにより形成される。請求項６に記載の光波長変換デバイス。
【請求項８】
第１反射層は、金めっきにより形成される、請求項６に記載の光波長変換デバイス。
【請求項９】
第１反射層の厚さは、３０ｎｍよりも大きい、請求項６に記載の光波長変換デバイス。
【請求項１０】
第２反射層は、±７０度の入射角の範囲での可視光及び赤外光の反射率である誘電体多層フィルムを有し、当該誘電体多層フィルムの積層は少なくとも３つである、請求項６に記載の光波長変換デバイス。
【請求項１１】
第２反射層は、分布ブラッグ反射器（ＤＢＲ）である、請求項１に記載の光波長変換デバイス。
【請求項１２】
光路に第１波長帯の光を照射する固体発光素子と、前記光路上に配置される光波長変換デバイスとを具備する照明システムであって、
前記光波長変換デバイスは、基板と、前記基板上にあり且つ第１波長帯の光を第２波長帯の光に変換する蛍光体層と、複合反射層とを有し、
前記複合反射層は、
第２波長帯の光が前記蛍光体層を介して出力されるように、前記基板と前記蛍光体層との間に配置され且つ前記基板に隣接し、第２波長帯の光を反射する第１反射層と、
第１反射層と前記蛍光体層との間に配置され、第１反射層の反射スペクトルを調節し、これによって当該複合反射層の反射率を上昇させる第２反射層と、
を有する
照明システム。
【請求項１３】
基板と、
前記基板上にあり、第１波長帯の光を第２波長帯の光に変換する蛍光体層と、
複合反射層と、
を具備する光波長変換デバイスであって
前記複合反射層は、
第２波長帯の光が前記蛍光体層を介して出力されるように構成される反射層であって、厚さが３０ｎｍより大きく、且つアルミニウム、銀、若しくは金から選択され、又はアルミニウム、銀及び金のうち少なくともいずれかを有する合金から選択される第１反射層と、
第１反射層と前記蛍光体層との間に配置される第２反射層と、
を有する
光波長変換デバイス。
【請求項１４】
基板と、
前記基板上にあり、青色光又は紫外光を４６０ｎｍより大きな波長の光に変換する蛍光体層と、
第２波長帯の光が前記蛍光体層を介して出力されるように、前記基板に隣接して配置され、第２波長帯の光を反射する第１反射層であって、その厚さが３０ｎｍよりも大きい第１反射層と、
第１反射層と前記蛍光体層との間に配置される第２反射層と、
を有する、
光波長変換デバイス。
【請求項１５】
基板と、
前記基板上にあり、第１波長帯の光を第２波長帯の光に変換する蛍光体層と、
第２波長帯の光の反射率を上昇させるための第１反射層と、
第１反射層と前記蛍光体層との間にあり且つ±７０度間の入射角の設計の誘電体多層フィルム又は分布ブラッグ反射器を有する第２反射層と、
を具備する光波長変換デバイス。
【請求項１６】
基板と、
前記基板上にあり、第１波長帯の光を第２波長帯の光に変換する蛍光体層と、
±７０度間の入射角の光の反射率を上昇させ、且つ第２波長帯の光の少なくとも１つの色光領域の反射率を調節し、これによって色光領域の前記蛍光体層を介して出力された色光の出力強度を高める複合反射層と、
を具備する、光波長変換デバイス。
【請求項１７】
基板と、
前記基板上にあり、第１波長帯の光を第２波長帯の光に変換する蛍光体層と、
第２波長帯の光が前記蛍光体層を介して出力されるように、前記基板の表面上にめっきにより形成され、且つ前記基板に隣接し、第２波長帯の光を反射する第１反射層と、
第１反射層に接着され、第１反射層と前記蛍光体層との間に配置される第２反射層と、
を具備する、光波長変換デバイス。
【請求項１８】
基板と、
前記基板上にあり、第１波長帯の光を第２波長帯の光に変換する蛍光体層と、
第２波長帯の光が前記蛍光体層を介して出力されるように、第２波長帯の光を反射する第１反射層と、
第１反射層に接着され、第１反射層と前記蛍光体層との間に配置される第２反射層と、
第１反射層と前記基板との間に配置される接着層であって、チタン接着層又はクロム接着層である接着層と、
を具備する、光波長変換デバイス。
【発明の詳細な説明】
【技術分野】
【０００１】
関連出願の相互参照
本願は、２０１４年１０月１３日に出願された米国仮出願６２／０６３，１４４号（表題「反射型構造基板と蛍光ホイールでの利用」）の利益を主張する。かかる全内容は、参照することによって本願に組み込まれるものとする。
【０００２】
本発明は光波長変換デバイスに関し、特に光波長変換デバイス及びこれを用いた照明システムに関する。
【背景技術】
【０００３】
近年では、レーザ及び蛍光体の照明技術は、主にプロジェクタにおいて利用される。色光を発生するために、青色光及び紫外レーザが蛍光ホイールを励起するために使用され、カラーホイールは、更に必要なＲＧＢの色光を分けて投影するために使用される。
【０００４】
図１は、従来技術に係る従来の反射型蛍光体ホイールの構造図を示している。一般的に、従来の反射型蛍光体ホイール１では、反射層１１が基板１０に配置され、蛍光体粉末１２１及びコロイド１２２を組み合わせた照明層１２が反射層１１に直接コーティングされる。レーザＬは蛍光体粉末を励起するのに用いられ、照明層１２より発生した励起光Ｅは、片側に反射されて反射層１１から出力される。蛍光体粉末の発光スペクトルが可視光波長（４００ｎｍ〜７００ｎｍ）のほとんどすべてをカバーし且つランバート形状（Ｌａｍｂｅｒｔｉａｎ  ｃｏｎｆｉｇｕｒａｔｉｏｎ）を有するように、反射層１１の設計は繰り返し行われる。例えば、大きな入射角による損失を防ぐために、銀（反射率９５％〜９７％）、アルミニウム（反射率９３％〜８５％）のような金属反射器が用いられる。しかし金属反射器の反射率は、比較的低い。金属反射器は酸化腐食されやすく変形しやすいため、金属反射器の信頼性を考慮する必要がある。９９％近くもの高い反射率が必要な場合は、誘電体層の材料が一般的に利用される。しかし、誘電体多層反射コーティングは入射角（ＡＯＩ：Ａｎｇｌｅ  ｏｆ  Ｉｎｃｉｄｅｎｃｅ）依存性がより大きい。入射角の増加に伴って、反射スペクトルのブルーシフトが発生し、反射率が減少するであろう。
【０００５】
図２を参照する。図２は、典型的な設計による誘電体反射コーティングの反射スペクトルを示している。蛍光ホイールの適用を考慮すると、入射角が７０度より大きくても、反射スペクトルはそれでも４２０ｎｍ〜７００ｎｍという可視光の波長範囲（一般的なＹＡＧ黄色蛍光体粉末の発光スペクトルをカバーする。）であり、反射率は、銀よりも大きい。しかし実際の応用では、図１に示すように従来の反射型蛍光体ホイール１の構造において、照明層１２が反射層１１上に位置し、蛍光体粉末１２１の照明環境は、１．４〜１．５の屈折率ｎを有するコロイド中であって空気中ではない。図３を参照する。図３は、入射コロイド環境における図２に示された誘電体反射コーティングの反射スペクトルを示している。図３に示すように、入射コロイド環境の屈折率を考慮すると反射スペクトルは、著しく低下している。特に、大きな入射角の光の透過率は明らかに増加し、従来の反射型蛍光体ホイール１において反射層１１から基板１０に向けて光漏れを生じさせる。結果として、従来の反射型蛍光体ホイール１の出力効率は低下する。
【発明の概要】
【発明が解決しようとする課題】
【０００６】
すなわち、蛍光ホイール用に設計された反射層は、すべての可視光スペクトラム（４００ｎｍ〜７００ｎｍ）と全ての入射角（ＡＯＩ）の状態（±０度〜９０度）をカバーする高い反射率要件を満たすことができない。従来技術における欠点を解消するために、光波長変換デバイスとこれを用いた照明システムを提供する必要がある。本開示は、入射角に依存しない金属反射層を誘電体多層反射体の下地として構成した複合反射層を提供して、入射角が大きい場合の漏れを補償する。
【課題を解決するための手段】
【０００７】
少なくとも１つの上記従来技術における欠点を解消するために、本発明のいくつかの実施形態として、光波長変換デバイスとこれを用いた照明システムが提供される。
【発明の効果】
【０００８】
本発明は光波長変換デバイス及びこれを用いた照明システムを提供する。第１反射層及び第２反射層を有し且つ第２反射層を経由する際の第１反射層の反射スペクトルを調節することによって、複合反射層の反射率を効果的に向上させ、大角度広域スペクトルの出力効率も向上する。
【０００９】
本発明の１つの側面によれば、第１波長帯の光を変換するための光波長変換デバイスが提供される。光波長変換デバイスは、基板と蛍光体層と複合反射層とを有する。蛍光体層は、基板上にあり、第１波長帯の光を第２波長帯の光に変換する。複合反射層は、第１反射層と第２反射層とを有する。第２波長帯の光が蛍光体層を介して出力されるように第１反射層は、基板と蛍光体層との間に配置され且つ基板に隣接し、第２波長帯の光を反射する。第２反射層は、第１反射層と蛍光体層との間に配置され、第１反射層の反射スペクトルを調節し、これによって複合反射層の反射率が上昇する。
【００１０】
本発明のもう１つの側面によれば照明システムが提供される。照明システムは、固体発光素子と光波長変換デバイスとを有する。固体発光素子は、光路に第１波長帯の光を照射する。光波長変換デバイスは、光路上に配置される。光波長変換デバイスは、基板と蛍光体層と複合反射層とを有する。蛍光体層は、基板上にあり、第１波長帯の光を第２波長帯の光に変換する。複合反射層は、第１反射層と第２反射層とを有する。第２波長帯の光が蛍光体層を介して出力されるように第１反射層は、基板と蛍光体層との間に配置され且つ基板に隣接し、第２波長帯の光を反射する。第２反射層は、第１反射層と蛍光体層との間に配置され、第１反射層の反射スペクトルを調節し、これによって複合反射層の反射率が上昇する。
【００１１】
本発明のもう１つの側面によれば光波長変換デバイスが提供される。光波長変換デバイスは、基板と蛍光体層と複合反射層とを有する。蛍光体層は、基板上にあり、第１波長帯の光を第２波長帯の光に変換する。複合反射層は、第１反射層と第２反射層とを有する。第１反射層は、基板に隣接して配置される。第２波長帯の光が蛍光体層を介して出力されるように、第１反射層の厚さは、３０ｎｍより大きく、第１反射層はアルミニウム、銀、若しくは金から選択されるか、又はアルミニウム、銀及び金のうち少なくともいずれかを有する合金から選択される。第２反射層は、第１反射層と蛍光体層との間に配置される。
【００１２】
本発明のもう１つの側面によれば光波長変換デバイスが提供される。光波長変換デバイスは、基板と蛍光体層と第１反射層と第２反射層とを有する。蛍光体層は、基板上にあり、青色光又は紫外光を４６０ｎｍより大きな波長の光に変換する。第２波長帯の光が蛍光体層を介して出力されるように、第１反射層は基板に隣接し、第２波長帯の光を反射する。第１反射層の厚さは、３０ｎｍよりも大きい。第２反射層は、第１反射層と第２蛍光体層との間に配置される。
【００１３】
本発明のもう１つの側面によれば光波長変換デバイスが提供される。光波長変換デバイスは、基板と蛍光体層と第１反射層と第２反射層とを有する。蛍光体層は、基板上にあり、第１波長帯の光を第２波長帯の光に変換する。第１反射層は、第２波長帯の光の反射率を上昇させるために利用される。第１反射層と蛍光体層との間にある第２反射層は、入射角の設計が±７０度の間である誘電体多層フィルム又は分布ブラッグ反射器を有する。
【００１４】
本発明のもう１つの側面によれば光波長変換デバイスが提供される。光波長変換デバイスは、基板と蛍光体層と複合反射層とを有する。蛍光体層は、基板上にあり、第１波長帯の光を第２波長帯の光に変換する。複合反射層は±７０度間の入射角の光の反射率を上昇させるために利用され、且つ第２波長帯の光の少なくとも１つの色光領域の反射率を調節し、これによって色光領域の蛍光体層を介して出力された色光の出力強度が高まる。
【００１５】
本発明のもう１つの側面によれば光波長変換デバイスが提供される。光波長変換デバイスは、基板と蛍光体層と第１反射層と第２反射層とを有する。蛍光体層は、基板上にあり、第１波長帯の光を第２波長帯の光に変換する。第２波長帯の光が蛍光体層を介して出力されるように、第１反射層は基板の表面上にめっきにより形成され、且つ基板に隣接し、第２波長帯の光を反射する。第２反射層は、第１反射層に接着され、第１反射層と蛍光体層との間に配置される。
【００１６】
本発明のもう１つの側面によれば光波長変換デバイスが提供される。光波長変換デバイスは、基板と蛍光体層と第１反射層と第２反射層と接着層とを有する。蛍光体層は、基板上にあり、第１波長帯の光を第２波長帯の光に変換する。第２波長帯の光が蛍光体層を介して出力されるように、第１反射層は第２波長帯の光を反射するために用いられる。第２反射層は、第１反射層に接着され、第１反射層と蛍光体層との間に配置される。接着層は、第１反射層と蛍光体層との間に配置される。接着層は金属材料でできている。
【００１７】
本発明の上記の内容は、当該技術の当業者が以下の詳細な説明と添付された図面とを検討することで、より容易に明らかになるものである。
【図面の簡単な説明】
【００１８】
【図１】図１は、従来技術に係る従来の反射型蛍光体ホイールの構造図を模式的に示している。
【００１９】
【図２】図２は、典型的な設計による誘電体反射コーティングの反射スペクトルを模式的に示している。
【００２０】
【図３】図３は、入射コロイド環境における図２に示された誘電体反射コーティングの反射スペクトルを模式的に示している。
【００２１】
【図４】図４は、本発明の実施形態に係る照明システムの構成を模式的に示している。
【００２２】
【図５】図５は、本発明の実施形態に係る光波長変換デバイスの構造図を模式的に示している。
【００２３】
【図６】図６は、本発明の実施形態に係る光波長変換デバイスの複合反射層の反射スペクトルを模式的に示している。
【発明を実施するための形態】
【００２４】
以下、実施形態を参照しながら本発明をより具体的に説明する。本発明の好ましい実施形態の以下の説明は、これより図示や描画を目的としてのみ表現されるものとする。これは、開示された形式に発明を限定するものではない。
【００２５】
図４及び図５を参照する。図４は、本発明の実施形態に係る照明システムの外観を模式的に示している。図５は、本発明の実施形態に係る光波長変換デバイスの構造図を模式的に示している。図４及び図５に示されるように、本発明の光波長変換デバイス２は、照明システム３の固体発光素子３１より照射される第１波長帯の光Ｌ１を変換するために利用される。固体発光素子３１は、レーザ光照射素子に限定されるものではなく、且つ光路Ｐに第１波長帯の光Ｌ１を照射するように構成される。光波長変換デバイス２は、蛍光ホイール又は蛍光プレートに限定されるものではなく、且つ光路Ｐ上に配置され、第１波長帯の光Ｌ１を変換する。
【００２６】
いくつかの実施形態では、光波長変換デバイス２は、基板２０と蛍光体層２１と複合反射層２２とを有する。蛍光体層２１は、基板２０上にあり、第１波長帯の光Ｌ１を第２波長帯の光Ｌ２に変換する。複合反射層２２は、第１反射層２２１と第２反射層２２２とを有する。第２波長帯の光が蛍光体層２１を介して出力されるように、第１反射層２２１は、基板２０と蛍光体層２１との間に配置され且つ基板に隣接し、第２波長帯の光Ｌ２を反射する。第２反射層２２２は、第１反射層２２１と蛍光体層２１との間に配置され、第１反射層２２１の反射スペクトルを調節し、これによって複合反射層２２の反射率が上昇する。
【００２７】
いくつかの実施形態では、第１反射層２２１は、基板２０の表面上にめっきにより形成され、第２反射層２２２は、第１反射層２２１に接着される。いくつかの実施形態では、複合反射層２２は、接着層２２３を更に有する。接着層２２３は、第１反射層２２１と基板２０との間に配置される。接着層２２３は、チタン接着層又はクロム接着層である。
【００２８】
加えて、本発明の光波長変換デバイス２における複合反射層２２の第１反射層２２１は、好ましくは金属製の反射層であり、且つ第２反射層２２２は、好ましくは物理的に真空コートされた誘電体反射多層であるが、これに限定するものではない。第１反射層２２１は、可視光の反射率を上昇させるために、アルミニウム、銀、又はアルミニウム若しくは銀の合金のめっきにより形成される。更に、金は赤外光をよく反射するので、第１反射層２２１もまた、±７０度間の入射角での可視光及び赤外光の反射率を上昇させるために金めっきにより形成される。つまり、第１反射層２２１は、実用的な需要を満たすために、アルミニウム、銀、若しくは金から選択されるか、又はアルミニウム、銀及び金のうち少なくともいずれかを含む合金から選択される。いくつかの実施形態では、第１反射層２２１の厚さは、３０ｎｍよりも大きい。
【００２９】
第２反射層２２２は、誘電体多層フィルムを有し、且つ誘電体多層フィルムの積層は、±７０度（計１４０度）の範囲の入射角設計で、少なくとも３つ、好ましくは７つであるが、これに限定するものではない。誘電体多層フィルムの積層は実用的な需要を満たすために調節されてもよく、これによって、本発明が教示するように、第１反射層２２１の反射スペクトルの調整が最適化される。いくつかの実施形態では、第２反射層２２２は分布ブラッグ反射器（ＤＢＲ）であるが、これに限定するものではない。
【００３０】
いくつかの実施形態では、照明システム３の固体発光素子３１より照射される第１波長帯の光Ｌ１は、青色光又は紫外光であり、且つ第２波長帯の光Ｌ２は４６０ｎｍより大きい波長の光である。第２反射層２２２は、６００ｎｍより大きい波長の光（すなわち赤色光）に関して第１反射層２２１の反射スペクトルを調整するように構成され、第１反射層２２１の反射スペクトルを調節し、これによって複合反射層２２の赤色光の反射率が上昇する。いくつかの実施形態では、第２反射層２２２は５００ｎｍより大きい光（すなわち緑色光）を調整するように構成される。
【００３１】
図５、図６及び以下の表１を参照する。図６は、本発明の実施形態に係る光波長変換デバイスの複合反射層の反射スペクトルを模式的に示している。実施形態では、赤色光波長の状態（＞６００ｎｍ）を強調する。本開示は緑色光波長の状態（＞５００ｎｍ）の反射率を上昇させるためにも用いられることが有効であると留意される。表１は、従来技術のアルミニウム反射層、従来技術の誘電体反射コーティング、及び本発明の複合反射層での、黄色光、緑色光及び赤色光の出力が示されている。表１は、従来技術のアルミニウム反射層での出力に基いて示されることに留意すべきである。
【００３２】
【表１】
2016081054.tif 000003
【００３３】
図５、図６及び表１に示されるように、本発明の光波長変換デバイス２における複合反射層２２の大角度（約６０度）及び４００ｎｍ〜７００ｎｍの波長での反射率は、８０％超えを維持している。一方、複合反射層２２では、黄色光の出力が１０２．４％に高められていて、これによって出力効率が上昇している。緑色光の出力及び赤色光の出力は、従来技術のアルミニウム反射層に比して、１．７％及び３．５％それぞれ上昇している。
【００３４】
加えて、複合反射層２２の設計によれば、第１反射層２２１の反射スペクトルは第２反射層２２２により調節され、更に全ての色光領域の反射率が調節され、これによって、所望の色光出力が高められる。表１、表２及び表３を参照する。表２及び表３は、従来技術及び本発明の複合反射層の、アルミニウム反射層での異なる実施形態ごとの全ての色光に関する反射率を示している。
【００３５】
【表２】
2016081054.tif 000004
【００３６】
【表３】
2016081054.tif 000005
【００３７】
表１、表２及び表３についての結論として、本発明の光波長変換デバイス２における複合反射層２２の構成を変えることによって、複合反射層２２に調整により赤色光の出力照度は１０３．５％から１１１．９％に高められる。換言すると、反射層２２における赤色光の反射率は８４％〜９２．５％から９５％〜９７％に増加し、これはプロジェクタの色構成に役立つものである。実施形態では、赤色光（＞６００ｎｍ）の出力照度を高めるために、複合反射層２２の構成が変更可能であることが簡潔に説明されている。正確には、緑色（＞５００ｎｍ）の出力照度を高めるために、複合反射層２２の構成が変更可能である。
【００３８】
少なくとも１つの上記従来技術における欠点を解消するために、上記説明の通り、本発明は光波長変換デバイスとこれを用いた照明システムとを提供する。第１反射層及び第２反射層を有し且つ第１反射層の反射スペクトルを調節する複合反射層を用いることで、複合反射層の反射率を効果的に向上させ、大角度広域スペクトルの出力効率も向上する。
【００３９】
現状最も実用的で好ましい実施形態という観点で本発明が説明されているが、本発明が開示されている実施形態に限定されるものではないことに留意したい。一方で、添付された特許請求の範囲の記載の範囲内で様々な変形例及び類似の調整を含むものであり、特許請求の範囲は当該変形例や類似の構造を含む最も広い解釈に一致するものである。
【符号の説明】
【００４０】
１      ：反射型蛍光体ホイール
２      ：光波長変換デバイス
３      ：照明システム
１０    ：基板
１１    ：反射層
１２    ：照明層
２０    ：基板
２１    ：蛍光体層
２２    ：複合反射層
３１    ：固体発光素子
１２１  ：蛍光体粉末
１２２  ：コロイド
２２１  ：第１反射層
２２２  ：第２反射層
２２３  ：接着層
Ｅ      ：励起光
Ｌ      ：レーザ
Ｌ１    ：光
Ｌ２    ：光
Ｐ      ：光路
ｎ      ：屈折率
【図１】
2016081054.tif 000006
【図２】
2016081054.tif 000007
【図３】
2016081054.tif 000008
【図４】
2016081054.tif 000009
【図５】
2016081054.tif 000010
【図６】
2016081054.tif 000011
【外国語明細書】
2016081054000001.pdf